(57)【要約】【課題】短時間で効率良く薬液の交換を行うことが可能となり、木材の防腐防蟻処理作業の作業性を向上させることができる薬液塗布装置の提供。【解決手段】連続して供給される木材Ｍに薬液を塗布する薬液塗布部２と、木材Ｍの表面に付着した薬液以外の余分な薬液を回収する薬液回収部３と、この薬液回収部３から下方に落下排出された薬液を貯留する薬液貯留部４と、この薬液貯留部４に貯留された薬液を前記薬液塗布部２に再び循環供給させる循環装置５とを備えており、  前記薬液貯留部４は、種類の異なる薬液を貯留する複数の薬液タンク６、６０を有しており、これら複数の薬液タンク６、６０は、それぞれ前記薬液回収部３の直下に配置可能であるとともに前記循環装置５に接続可能であることを特徴とする薬液塗布装置１。【選択図】図１
2006205454.tif 000002
【特許請求の範囲】
【請求項１】
表面に多数の微小孔が形成された木材に防腐防蟻用の薬液を塗布するとともに、木材ごとに適した薬液を塗布する薬液塗布装置において、
連続して供給される木材に薬液を塗布する薬液塗布部と、
木材の表面に付着した薬液以外の余分な薬液を回収する薬液回収部と、
この薬液回収部から下方に落下排出された薬液を貯留する薬液貯留部と、
この薬液貯留部に貯留された薬液を前記薬液塗布部に再び循環供給させる循環装置とを備えており、
前記薬液貯留部は、種類の異なる薬液を貯留する複数の薬液タンクを有しており、
これら複数の薬液タンクは、それぞれ前記薬液回収部の直下に配置可能であるとともに前記循環装置に接続可能であることを特徴とする薬液塗布装置。
【請求項２】
請求項１に記載の薬液塗布装置において、
前記複数の薬液タンクには、前記薬液を排出するための排出ホースと、
これら排出ホースの中途に設けられ、前記薬液の流路を開閉するコック部と、
前記複数の薬液タンクの各排出ホースの先端が取り付けられるとともに、前記循環装置に接続される継手部材と、
前記複数の薬液タンクをスライドさせて配置交換するスライド部とが設けられていることを特徴とする薬液塗布装置。
【請求項３】
請求項１に記載の薬液塗布装置において、
前記複数の薬液タンクには、前記薬液を排出するための排出管と、
これら排出管の中途に設けられ、前記薬液の流路を開閉するコック部と、
前記排出管の先端に設けられ、前記循環装置に接続される接続部とがそれぞれ設けられていることを特徴とする薬液塗布装置。
【請求項４】
請求項１〜３のいずれか一項に記載の薬液塗布装置において、
前記循環装置は、前記薬液貯留部側に延出して設けられる吸引ホースと、
前記薬液塗布部側に延出して設けられる吐出ホースと、
これら吸引ホースと吐出ホースとの間に設けられ、前記薬液貯留部に貯留された薬液を、前記吸引ホースを通じて吸引するとともに前記吐出ホースを通じて吐出する循環ポンプとを備えていることを特徴とする薬液塗布装置。
【請求項５】
請求項１〜４のいずれか一項に記載の薬液塗布装置において、
前記薬液塗布部は、前記木材の表面に薬液を塗布する複数の噴射ノズルを備えていることを特徴とする薬液塗布装置。
【請求項６】
請求項１〜５のいずれか一項に記載の薬液塗布装置において、
前記木材の表面に付着した薬液以外の余分な薬液を、前記木材の表面を擦ることにより除去して前記薬液回収部に供給する除去用ブラシを備えていることを特徴とする薬液塗布装置。
【発明の詳細な説明】
【技術分野】
【０００１】
本発明は、表面に多数の微小孔が形成された木材に防腐防蟻用の薬液を塗布するとともに、木材の種類ごとに適した薬液を塗布する薬液塗布装置に関する。
【背景技術】
【０００２】
木材に対して、シロアリ、ヒラタキクイムシなどによる食害や、腐朽菌などによる腐れを防止するために、防腐防蟻処理を施すことが行われている。この防腐防蟻処理の一例として、予め木材の表面に、例えばのみ刃によって適当な間隔でのみ目を切り込んでおき、のみ目から薬液を木材内部に浸透させる方法があり、木材の表面にのみ目などの微小孔を切り込む加工がインサイジング加工と称されている。このインサイジング加工を利用して木材の内部への防腐防蟻用の薬液の浸透性を図った技術として、例えば特許文献１に記載された薬液塗布装置が知られている。
【０００３】
この薬液塗布装置では、インサイジング加工された木材には、例えば、インサイジング加工された木材の表面全体に薬液を噴射塗布することで、微小孔から木材内部に薬液を浸透させるようにしている。
また、木材の表面に噴射塗布された薬液以外の余分な薬液を、一旦薬液貯留用のタンクに回収して再び循環供給させることによって、薬液の無駄を殆ど無くすようにしている。
【特許文献１】特開２０００−２２５６０７号公報
【発明の開示】
【発明が解決しようとする課題】
【０００４】
ところで、上記のような薬液は、防腐防蟻処理される木材の種類や用途によって、有効成分や濃度の異なる薬液と入れ替えるなどして、それぞれの木材に適した薬液を塗布するようにしている。
【０００５】
ところが、有効成分や濃度の異なる薬液と入れ替えるには、薬液タンクに回収貯留された薬液を他の容器に移してから有効成分や濃度の異なる薬液を入れなければならず手間であった。さらに、このように薬液を入れ替える間は、防腐防蟻処理作業も長時間にわたって中断しなければならず、木材の防腐防蟻処理作業の作業性を向上させるような技術の開発が強く望まれていた。
【０００６】
本発明の課題は、短時間で効率良く薬液の交換を行うことが可能となり、木材の防腐防蟻処理作業の作業性を向上させることができる薬液塗布装置を提供することを目的とする。
【課題を解決するための手段】
【０００７】
請求項１に記載の発明は、例えば図１または図２に示すように、表面に多数の微小孔ｍが形成された木材Ｍに防腐防蟻用の薬液を塗布するとともに、木材Ｍごとに適した薬液を塗布する薬液塗布装置１において、
連続して供給される木材Ｍに薬液を塗布する薬液塗布部２と、
木材Ｍの表面に付着した薬液以外の余分な薬液を回収する薬液回収部３と、
この薬液回収部３から下方に落下排出された薬液を貯留する薬液貯留部４と、
この薬液貯留部４に貯留された薬液を前記薬液塗布部２に再び循環供給させる循環装置５とを備えており、
前記薬液貯留部４は、種類の異なる薬液を貯留する複数の薬液タンク６、６０（７、７０）を有しており、
これら複数の薬液タンク６、６０（７、７０）は、それぞれ前記薬液回収部３の直下に配置可能であるとともに前記循環装置５に接続可能であることを特徴とする。
【０００８】
請求項１に記載の発明によれば、短時間で効率良く薬液の交換を行うことが可能となり、木材Ｍの防腐防蟻処理作業の作業性を向上させることができる。
すなわち、前記薬液塗布部２にて連続して供給される木材Ｍに薬液を塗布し、前記薬液回収部３にて前記木材Ｍの表面に付着した薬液以外の余分な薬液を回収し、前記薬液回収部３から下方に落下排出された薬液を前記薬液貯留部４に貯留し、前記循環装置５によって貯留された薬液を前記薬液塗布部２に再び循環供給させることができるので、薬液の無駄使いを防ぐことができるとともに木材Ｍの表面に付着させる分だけの適量の薬液を容易、かつ確実に木材Ｍに塗布することができる。
しかも、種類の異なる薬液を貯留する複数の薬液タンク６、６０（７、７０）のうち、いずれかの薬液タンク６、７を前記薬液回収部３の直下に配置するとともに前記循環装置５に接続することによって、この薬液タンク６、７に貯留された薬液を前記薬液塗布部２に供給することができ、木材Ｍの表面に付着した薬液以外の余分な薬液を回収して再び循環供給することができる。そして、前記薬液回収部３の直下に配置した薬液タンク６、７に換えて、この薬液タンク６、７とは異なる種類の薬液を貯留する薬液タンク６０、７０を前記薬液回収部３の直下に配置するとともに前記循環装置５に接続することによって、異なる種類の薬液を前記薬液塗布部２に供給することができ、木材Ｍの表面に付着した薬液以外の余分な薬液を回収して再び循環供給することができるようになる。
これによって、前記薬液回収部３の直下に配置される薬液タンク６、７と、この薬液タンク６、７とは異なる種類の薬液を貯留する薬液タンク６０、７０とを配置交換し、前記循環装置５に接続するだけで、木材Ｍに塗布すべき薬液の交換を簡単に行うことができるようになっているので、短時間で効率良く薬液の交換を行うことが可能となり、木材Ｍの防腐防蟻処理作業の作業性を向上させることができる。
【０００９】
請求項２に記載の発明は、例えば図１および図３に示すように、請求項１に記載の薬液塗布装置１において、
前記複数の薬液タンク６、６０には、前記薬液を排出するための排出ホース６ａと、
これら排出ホース６ａの中途に設けられ、前記薬液の流路を開閉するコック部６ｂと、
前記複数の薬液タンク６、６０の各排出ホース６ａの先端が取り付けられるとともに、前記循環装置５に接続される継手部材６ｃと、
前記複数の薬液タンク６、６０をスライドさせて配置交換するスライド部６ｄとが設けられていることを特徴とする。
【００１０】
請求項２に記載の発明によれば、前記複数の薬液タンク６、６０に貯留される薬液を前記排出ホース６ａから排出できるとともに、前記コック部６ｂによって排出される薬液の流路を開閉できる。また、前記循環装置５に接続される継手部材６ｃに前記複数の薬液タンク６、６０の各排出ホース６ａの先端を取り付けて、前記コック部６ｂにより、使用する薬液タンク６の薬液の流路を開けるとともに、使用しない薬液タンク６０の薬液の流路を閉めておくことによって、前記複数の薬液タンク６、６０のうち、いずれか１つの薬液タンク６だけから薬液を供給させることが可能となる。さらに、これら複数の薬液タンク６、６０はスライド部６ｄによってスライドさせるだけで簡単に配置交換することができるようになっており、このように薬液タンク６、６０の配置交換を行うことによって、木材Ｍに塗布すべき薬液を短時間で効率良く交換することができるので、異なる種類の薬液を使用することが可能となり、木材Ｍの防腐防蟻処理作業の作業性を向上させることができる。
すなわち、異なる種類の薬液を使用したい場合、前記スライド部６ｄにより、元々配置されていた薬液タンク６と前記異なる種類の薬液が貯留された薬液タンク６０とをスライドさせて配置交換させ、前記コック部６ｂにより、薬液を使用する方の薬液タンク６０の薬液流路を開けるとともに、使用しない方の薬液タンク６の薬液流路を閉めておくことにより、異なる種類の薬液が前記排出ホース６ａから排出されて供給されるようになっている。
【００１１】
請求項３に記載の発明は、例えば図２に示すように、請求項１に記載の薬液塗布装置１において、
前記複数の薬液タンク７、７０には、前記薬液を排出するための排出管７ａと、
これら排出管７ａの中途に設けられ、前記薬液の流路を開閉するコック部７ｂと、
前記排出管７ａの先端に設けられ、前記循環装置５に接続される接続部７ｃとがそれぞれ設けられていることを特徴とする。
【００１２】
請求項３に記載の発明によれば、前記複数の薬液タンク７、７０に貯留される薬液を前記排出管７ａから排出することができるとともに、前記コック部７ｂによって排出される薬液の流路を開閉できる。また、前記排出管７ａの先端に設けられた接続部７ｃが前記循環装置５に接続されることにより、前記薬液タンク７、７０に貯留された薬液を供給することができるようになっている。そして、異なる種類の薬液を使用する場合には、前記循環装置５に接続されている方の薬液タンク７のコック部７ｂによって薬液の流路を閉めてから、この薬液タンク７と前記循環装置５との接続状態を解除し、その後、使用したい薬液が貯留された薬液タンク７０の接続部７ｃを前記循環装置５に接続して、前記コック部７ｂによって薬液の流路を開けるようにする。
これによって、簡単に薬液タンク７、７０の配置を交換することができるので、短時間で効率良く薬液の交換を行うことが可能となり、木材Ｍの防腐防蟻処理作業の作業性を向上させることができる。
【００１３】
請求項４に記載の発明は、例えば図１または図２に示すように、請求項１〜３のいずれか一項に記載の薬液塗布装置１において、
前記循環装置５は、前記薬液貯留部４側に延出して設けられる吸引ホース５ａと、
前記薬液塗布部２側に延出して設けられる吐出ホース５ｂと、
これら吸引ホース５ａと吐出ホース５ｂとの間に設けられ、前記薬液貯留部４に貯留された薬液を、前記吸引ホース５ａを通じて吸引するとともに前記吐出ホース５ｂを通じて吐出する循環ポンプ５ｃとを備えていることを特徴とする。
【００１４】
請求項４に記載の発明によれば、前記循環ポンプ５ｃによって、前記吸引ホース５ａを通じて前記薬液貯留部４に貯留された薬液を吸引することができるとともに、前記吐出ホース５ｂを通じて前記薬液塗布部２に吐出することができるので、前記薬液貯留部４に貯留された薬液を確実に前記薬液塗布部２に供給することが可能となる。
【００１５】
請求項５に記載の発明は、例えば図１または図２に示すように、請求項１〜４のいずれか一項に記載の薬液塗布装置１において、
前記薬液塗布部２は、前記木材Ｍの表面に薬液を塗布する複数の噴射ノズル２ａを備えていることを特徴とする。
【００１６】
請求項５に記載の発明によれば、前記木材Ｍの表面に薬液を塗布する際には、前記噴射ノズル２ａから薬液が勢いよく噴射されるので、十分、かつ確実に木材Ｍの表面に薬液を塗布することができる。
【００１７】
請求項６に記載の発明は、例えば図３または図４に示すように、請求項１〜５のいずれか一項に記載の薬液塗布装置１において、
前記木材Ｍの表面に付着した薬液以外の余分な薬液を、前記木材Ｍの表面を擦ることにより除去して前記薬液回収部３に供給する除去用ブラシ３ｂを備えていることを特徴とする。
【００１８】
請求項６に記載の発明によれば、前記除去用ブラシ３ｂを備えていることから、薬液の無駄使いを防ぐことができるとともに適量の薬液を木材Ｍの表面に付着させておくことができる。
【発明の効果】
【００１９】
本発明によれば、前記薬液塗布部にて連続して供給される木材に薬液を塗布し、前記薬液回収部にて前記木材の表面に付着した薬液以外の余分な薬液を回収し、前記薬液回収部から下方に落下排出された薬液を前記薬液貯留部に貯留し、前記循環装置によって貯留された薬液を前記薬液塗布部に再び循環供給させることができるので、薬液の無駄使いを防ぐことができるとともに木材の表面に付着させる分だけの適量の薬液を容易、かつ確実に木材に塗布することができ、その上、前記薬液回収部の直下に配置される薬液タンクと、この薬液タンクとは異なる種類の薬液を貯留する薬液タンクとを配置交換し、前記循環装置に接続するだけで、木材に塗布すべき薬液の交換を簡単に行うことができるので、短時間で効率良く薬液の交換を行うことが可能となり、木材の防腐防蟻処理作業の作業性を向上させることができる。
【発明を実施するための最良の形態】
【００２０】
以下、図面を参照して本発明に係る薬液塗布装置１の実施の形態について説明する。
【００２１】
［第１の実施の形態］
本実施の形態の薬液塗布装置１は、図１に示すように、表面に多数の微小孔ｍが形成された木材Ｍに防腐防蟻用の薬液を塗布するとともに、木材Ｍごとに適した薬液を塗布するものであり、
連続して供給される木材Ｍに薬液を塗布する薬液塗布部２と、
木材Ｍの表面に付着した薬液以外の余分な薬液を回収する薬液回収部３と、
この薬液回収部３から下方に落下排出された薬液を貯留する薬液貯留部４と、
この薬液貯留部４に貯留された薬液を前記薬液塗布部２に再び循環供給させる循環装置５とを備えており、
前記薬液貯留部４は、種類の異なる薬液を貯留する複数の薬液タンク６、６０を有しており、
これら複数の薬液タンク６、６０は、それぞれ前記薬液回収部３の直下に配置可能であるとともに前記循環装置５に接続可能である。
【００２２】
前記木材Ｍは、図１に示すように、インサイジング加工により表面に多数の微小孔ｍが形成されている。
ここで、インサイジング加工とは、図示はしないが、周方向に所定間隔で多数の刃が形成されてなるインサイジング刃物を回転させつつ、前記刃物によって木材Ｍの表面を切り込むことであり、このような作業を行うインサイジング装置によって、木材Ｍの表面に多数の微小孔ｍを形成できるようになっている。そして、木材Ｍの表面に薬液を塗布することにより、前記多数の微小孔ｍから木材Ｍの内部に薬液が浸透するようになっている。
なお、図示はしないが、前記インサイジング装置は、前記薬液塗布装置１の前工程として設けられており、さらには、前記インサイジング装置および薬液塗布装置１は、前記木材Ｍを連続して搬送供給する搬送手段９の中途にそれぞれ設置されている。
また、前記搬送手段９は、図３（ｂ）に示すように、本実施の形態においてはローラーコンベアが用いられているが、前記木材Ｍを連続して搬送供給することができれば、これに限られるものではない。
【００２３】
前記薬液は、シロアリ、ヒラタキクイムシなどによる食害や腐朽菌などによる腐れを防止するために、前記木材Ｍに対して塗布するものである。また、その有効成分や濃度を変えることによって、薬剤としての性能や木材Ｍに対する浸透度が異なり、用いられる木材Ｍの用途によって適宜変更して用いる。
【００２４】
前記薬液塗布部２は、図１に示すように、前記木材Ｍの表面に薬液を塗布する複数の噴射ノズル２ａを備えている。また、図３（ａ）、（ｂ）に示すように、該薬液塗布部２を囲むようにして薬液の飛び散りを防ぐ壁部２ｂが設けられており、図示はしないが、前記壁部２ｂの下部中央には、前記木材Ｍを通過させるための搬送口が設けられ、木材Ｍが通過できるようになっている。
なお、前記噴射ノズル２ａは、前記木材Ｍの前後面および上下左右面に対して薬液を噴射できるように、噴射角度を調節したり、木材Ｍに薬液を効果的に塗布するに適した数の噴射ノズル２ａを設けたりすることが望ましい。
【００２５】
前記薬液回収部３は、図１に示すように、前記薬液塗布部２の下方に位置するとともに、この薬液回収部３の上方には、図３（ｂ）に示すように、前記木材Ｍの表面に付着した薬液以外の余分な薬液を、前記木材Ｍの表面を擦ることにより除去して、前記薬液回収部３に供給する除去用ブラシ３ｂが備えられている。そして、前記薬液回収部３は、前記薬液塗布部２から排出される余分な薬液と、除去用ブラシ３ｂによって除去される余分な薬液とを回収し、このように回収した薬液を落下排出させる排出口３ａが、該薬液回収部３の最下部に設けられている。
また、前記除去用ブラシ３ｂは、木材Ｍの上下左右面を擦ることができるように、ブラシの先端がそれぞれ上下左右を向くようにして設けられており、このように木材Ｍの上下左右面を擦ることができれば、薬液の無駄遣いを防ぐことができるとともに適量の薬液を木材Ｍの表面に付着させておくことができる。
【００２６】
一方、前記薬液塗布部２と薬液回収部３、除去用ブラシ３ｂとは、図３（ａ）、（ｂ）に示すように、薬液の飛び散りを防ぐための防沫室８内部に設けられている。さらに、この防沫室８の長さ方向両面の下部中央には、前記木材Ｍを通過させるための搬送口が設けられ、木材Ｍが通過できるようになっている。
【００２７】
前記薬液貯留部４は、図１または図３（ａ）に示すように、前記薬液回収部３の下方に位置し、種類の異なる薬液を貯留するための複数の薬液タンク６、６０を有している。
また、前記複数の薬液タンク６、６０には、図１または図３（ｂ）に示すように、前記薬液を排出するための排出ホース６ａと、これら排出ホース６ａの中途に設けられ、前記薬液の流路を開閉するコック部６ｂと、前記複数の薬液タンク６、６０の各排出ホース６ａの先端が取り付けられるとともに、前記循環装置５に接続される継手部材６ｃと、前記複数の薬液タンク６、６０をスライドさせて配置交換するスライド部６ｄとが設けられている。
なお、前記複数の薬液タンク６、６０は、本実施の形態では２つのタンクによって表されているが、３つ以上の薬液タンクを用いても良いことは言うまでもない。
また、前記スライド部６ｄは、本実施の形態では、図３（ｂ）に示すように、レール状に形成され、そのレール上に前記複数の薬液タンク６、６０が設けられているようになっている。
【００２８】
前記循環装置５は、図１に示すように、前記薬液貯留部４側に延出して設けられる吸引ホース５ａと、前記薬液塗布部２側に延出して設けられる吐出ホース５ｂと、これら吸引ホース５ａと吐出ホース５ｂとの間に設けられ、前記薬液貯留部４に貯留された薬液を、前記吸引ホース５ａを通じて吸引するとともに前記吐出ホース５ｂを通じて吐出する循環ポンプ５ｃとを備えている。
また、前記吸引ホース５ａと前記継手部材６ｃとが接続されているとともに、前記吐出ホース５ｂと前記複数の噴射ノズル２ａとが、継手部５ｄを介して接続されている。これにより、前記循環ポンプ５ｃによって、前記薬液貯留部４に貯留された薬液を吸引することができるとともに、吸引した薬液を前記複数の噴射ノズル２ａから噴射することができる。
【００２９】
以上のような構成の薬液塗布装置１によって、前記木材Ｍに防腐防蟻用の薬液を塗布するには、まず、図１または図３（ａ）、（ｂ）に示すように、インサイジング加工されるとともに前記搬送手段９により搬送される木材Ｍを、前記薬液塗布部２に供給しながら、前記複数の噴射ノズル２ａから噴射される薬液を前記木材Ｍに塗布する。
この時、前記噴射ノズル２ａから噴射された薬液のうち、前記木材Ｍの表面に付着しなかった余分な薬液は前記薬液回収部３に供給する。
【００３０】
さらに、前記薬液が塗布された木材Ｍを前記除去用ブラシ３ｂによってその表面を擦ることにより、前記木材Ｍの表面に付着した薬液以外の余分な薬液を除去して前記薬液回収部３に供給する。
【００３１】
そして、前記薬液塗布部２および除去用ブラシ３ｂから供給された余分な薬液は、前記薬液回収部３の最下部に設けられた排出口３ａから落下排出する。また、前記薬液回収部３から下方に落下排出された余分な薬液は、前記薬液回収部３の直下に配置された薬液タンク６に貯留される。
【００３２】
なお、前記薬液塗布部２にて薬液を塗布され、前記除去用ブラシ３ｂにより余分な薬液を除去された木材Ｍは、図示はしないが、前記搬送手段９によりさらに搬送されて、所定の場所にて自然乾燥されるか、もしくは乾燥装置等によって乾燥作業が行われるようになっている。
【００３３】
次に、前記薬液タンク６に貯留された余分な薬液を再び循環供給するには、まず、図１に示すように、前記薬液回収部３の直下に配置された薬液タンク６のコック部６ｂを開いた状態にしておき、薬液流路の開放をしておく。
【００３４】
そして、前記継手部材６ｃを介して接続された前記排出ホース６ａと吸引ホース５ａとを通じて、前記循環ポンプ５ｃにより前記薬液タンク６に貯留された薬液を吸引する。さらに、前記循環ポンプ５ｃにより前記吐出ホース５ｂを通じて、前記吸引された薬液を前記複数の噴射ノズル２ａに供給する。
【００３５】
以上により、前記薬液塗布装置１による薬液の循環供給がなされるので、薬液の無駄使いを防ぐことができるとともに木材Ｍの表面に付着させる分だけの適量の薬液を容易、かつ確実に木材Ｍに塗布することができる。
【００３６】
次に、前記薬液塗布装置１によって循環供給されている薬液に換えて、異なる種類の薬液を用いて木材Ｍごとに適した薬液を塗布するには、まず、図５（ａ）に示すように、前記薬液回収部３の直下に配置されているとともに使用している方の薬液タンク６の薬液流路と、使用したい方の薬液タンク６０の薬液流路ともに前記コック部６ｂを閉めて閉塞状態とする。この時、前記循環ポンプ５ｃにより供給されている薬液が前記木材Ｍに塗布されるとともに余分な薬液が回収され終わるまで、前記循環ポンプ５ｃの供給を止めないようにする。
【００３７】
そして、図５（ｂ）に示すように、余分な薬液の回収が終わってから、図３（ｂ）および図５（ｃ）に示すように、今まで使用していた方の薬液タンク６と、使用したい方の薬液タンク６０とを前記スライド部６ｄによりスライドさせて配置交換し、前記使用したい方の薬液タンク６０が前記薬液回収部３の直下に配置される。
【００３８】
その後、図５（ｄ）に示すように、前記使用したい方の薬液タンク６０の薬液流路を、前記コック部６ｂを開けて開放状態とし、この薬液タンク６０に貯留された種類の異なる薬液を、前記循環ポンプ５ｃにより再び循環供給することによって、異なる種類の薬液を木材Ｍに塗布することができ、それぞれの木材Ｍごとに適した薬液を塗布することができる。
【００３９】
以上のことから、本実施の形態の薬液塗布装置１によれば、前記薬液塗布部２にて連続して供給される木材Ｍに薬液を塗布し、前記薬液回収部３にて前記木材Ｍの表面に付着した薬液以外の余分な薬液を回収し、前記薬液回収部３から下方に落下排出された薬液を前記薬液貯留部４に貯留し、前記循環装置５によって貯留された薬液を前記薬液塗布部２に再び循環供給させることができるので、薬液の無駄使いを防ぐことができるとともに木材Ｍの表面に付着させる分だけの適量の薬液を容易、かつ確実に木材Ｍに塗布することができ、その上、前記薬液回収部３の直下に配置される薬液６と、この薬液タンク６とは異なる種類の薬液を貯留する薬液タンク６０とを配置交換し、前記循環装置５に接続するだけで、木材Ｍに塗布すべき薬液の交換を簡単に行うことができるので、短時間で効率良く薬液の交換を行うことが可能となり、木材Ｍの防腐防蟻処理作業の作業性を向上させることができる。
【００４０】
［第２の実施の形態］
以下、図面を参照して本発明に係る薬液塗布装置１における第２の実施の形態を説明する。なお、説明の便宜上、本実施の形態の薬液塗布装置１については上述した第１の実施の形態における薬液塗布装置１との異なる構成部分を主体として説明する。
【００４１】
本実施の形態では、図２に示すように、前記薬液回収部３の直下に位置する薬液貯留部４の構成が異なる。
すなわち、前記薬液貯留部４は、種類の異なる薬液を貯留する複数の薬液タンク７、７０を有しており、これら複数の薬液タンク７、７０には、前記薬液を排出するための排出管７ａと、
これら排出管７ａの中途に設けられ、前記薬液の流路を開閉するコック部７ｂと、
前記排出管７ａの先端に設けられ、前記循環装置５に接続される接続部７ｃとがそれぞれ設けられている。
【００４２】
また、前記接続部７ｃと接続する前記循環装置５の吸引ホース５ａの先端には、前記接続部７ｃと嵌まり合うことで確実に接続できる接続受部５ｅが設けられている。
【００４３】
なお、前記複数の薬液タンク７、７０は、本実施の形態では２つのタンクによって表されているが、３つ以上の薬液タンクを用いても良いことは言うまでもない。
【００４４】
以上のような薬液貯留部４の構成を鑑みて、前記木材Ｍに防腐防蟻用の薬液を塗布するには、まず、図２または図４（ａ）、（ｂ）に示すように、インサイジング加工されるとともに前記搬送手段９により搬送される木材Ｍを、前記薬液塗布部２に供給しながら、前記複数の噴射ノズル２ａから噴射される薬液を前記木材Ｍに塗布する。
この時、前記噴射ノズル２ａから噴射された薬液のうち、前記木材Ｍの表面に付着しなかった余分な薬液は前記薬液回収部３に供給する。
【００４５】
さらに、前記薬液が塗布された木材Ｍを前記除去用ブラシ３ｂによってその表面を擦ることにより、前記木材Ｍの表面に付着した薬液以外の余分な薬液を除去して前記薬液回収部３に供給する。
【００４６】
そして、前記薬液塗布部２および除去用ブラシ３ｂから供給された余分な薬液は、前記薬液回収部３の最下部に設けられた排出口３ａから落下排出する。また、前記薬液回収部３から下方に落下排出された余分な薬液は、前記薬液回収部３の直下に配置された薬液タンク７に貯留される。
【００４７】
次に、前記薬液タンク７に貯留された余分な薬液を再び循環供給するには、まず、図２に示すように、前記薬液回収部３の直下に配置された薬液タンク７のコック部７ｂを開いた状態にしておき、薬液流路の開放をしておく。
【００４８】
そして、前記接続部７ｃを介して接続された前記排出管７ａと吸引ホース５ａとを通じて、前記循環ポンプ５ｃにより前記薬液タンク７に貯留された薬液を吸引する。さらに、前記循環ポンプ５ｃにより前記吐出ホース５ｂを通じて、前記吸引された薬液を前記複数の噴射ノズル２ａに供給する。
【００４９】
以上により、前記薬液塗布装置１による薬液の循環供給がなされるので、薬液の無駄使いを防ぐことができるとともに木材Ｍの表面に付着させる分だけの適量の薬液を容易、かつ確実に木材Ｍに塗布することができる。
【００５０】
次に、前記薬液塗布装置１によって循環供給されている薬液に換えて、異なる種類の薬液を用いて木材Ｍごとに適した薬液を塗布するには、まず、図６（ａ）に示すように、前記薬液回収部３の直下に配置されているとともに使用している方の薬液タンク７の薬液流路を閉めて閉塞状態とする。この時、前記循環ポンプ５ｃにより供給されている薬液が前記木材Ｍに塗布されるとともに余分な薬液が回収され終わるまで、前記循環ポンプ５ｃの供給を止めないようにする。
また、使用したい方の薬液タンク７０は、図２に示すように、すぐに配置の交換が行えるように近くに置いておくと、より短時間で薬液タンク７、７０の交換が行えるので望ましい。
【００５１】
そして、図６（ｂ）に示すように、余分な薬液の回収が終わってから、図６（ｃ）に示すように、今まで使用していた方の薬液タンク７と前記循環装置５との接続状態を解除する。
【００５２】
その後、図６（ｄ）に示すように、使用したい方の薬液タンク７０を前記循環装置５に接続して配置交換を完了して前記薬液回収部３の直下に配置する。そして、新たに配置された薬液タンク７０の薬液流路を、前記コック部７ｂを開けて開放状態とし、この薬液タンク７０に貯留された種類の異なる薬液を、前記循環ポンプ５ｃにより再び循環供給することによって、異なる種類の薬液を木材Ｍに塗布することができ、それぞれの木材Ｍごとに適した薬液を塗布することができる。
【００５３】
以上のことから、本実施の形態の薬液塗布装置１によれば、前記薬液塗布部２にて連続して供給される木材Ｍに薬液を塗布し、前記薬液回収部３にて前記木材Ｍの表面に付着した薬液以外の余分な薬液を回収し、前記薬液回収部３から下方に落下排出された薬液を前記薬液貯留部４に貯留し、前記循環装置５によって貯留された薬液を前記薬液塗布部２に再び循環供給させることができるので、薬液の無駄使いを防ぐことができるとともに木材Ｍの表面に付着させる分だけの適量の薬液を容易、かつ確実に木材Ｍに塗布することができ、その上、前記薬液回収部３の直下に配置される薬液タンク７と、この薬液タンク７とは異なる種類の薬液を貯留する薬液タンク７０とを配置交換し、前記循環装置５に接続するだけで、木材Ｍに塗布すべき薬液の交換を簡単に行うことができるので、短時間で効率良く薬液の交換を行うことが可能となり、木材Ｍの防腐防蟻処理作業の作業性を向上させることができる。
【図面の簡単な説明】
【００５４】
【図１】本発明に係る薬液塗布装置の一例を示す概略図。
【図２】本発明に係る薬液塗布装置の他の例を示す概略図。
【図３】図１の薬液塗布装置を示し、（ａ）は平面図、（ｂ）は正面図である。
【図４】図２の薬液塗布装置を示し、（ａ）は平面図、（ｂ）は正面図である。
【図５】図１における薬液タンクの配置交換例を示した概略図である。
【図６】図２における薬液タンクの配置交換例を示した概略図である。
【符号の説明】
【００５５】
１  薬液塗布装置
２  薬液塗布部
３  薬液回収部
４  薬液貯留部
５  循環装置
６  薬液タンク
７  薬液タンク
Ｍ  木材
【図１】
2006205454.tif 000003
【図２】
2006205454.tif 000004
【図３】
2006205454.tif 000005
【図４】
2006205454.tif 000006
【図５】
2006205454.tif 000007
【図６】
2006205454.tif 000008